(57)【要約】【課題】曲面部に電気部品を省スペースで容易に取り付けることができ、興趣性に優れた遊技機を提供する。【解決手段】このパチンコ機は、電気部品としての発光ダイオード３５が実装されたフレキシブル基板３０を、上受け皿２のカバー枠４０の曲面部４１ｂに沿わせて設けているので、上受け皿２の曲面部４１ｂとフレキシブル基板３０との間に不要なスペースが存在することを防止でき、発光ダイオード３５を効率良く取り付けることができ、省スペース化を図ることができる。また、フレキシブル基板３０の柔軟性によりフレキシブル基板３０の曲面部４１ｂへの取り付け作業を容易なものとすることができる。また、曲面部を発光させることでさらに遊技の興趣を向上させることができる。【選択図】      図４
2004167140.tif 000002
【特許請求の範囲】
【請求項１】
遊技用媒体を用いて遊技を行う遊技機において、
電気部品が所定位置に実装された柔軟性基板を、機体の所定の曲面部に沿わせて設けていることを特徴とする遊技機。
【発明の詳細な説明】
【０００１】
【発明の属する技術分野】
本発明は、パチンコ機やスロットマシン等の遊技機に関する。
【０００２】
【従来の技術】
従来、遊技機の代表例としてはパチンコ機がある。このパチンコ機には、遊技盤の周囲を覆うようにしてこの遊技盤の前面側に取り付けられる前面枠や、球を貯留する上受け皿および下受け皿などを備えている。例えば、上受け皿の所定箇所を発光表示可能にするために、電気部品（例えば照明ランプ）が実装されたハード基板（回路基板）を当該上受け皿内に配設し、回路基板の照明ランプを点灯表示制御するものがある（例えば、特許文献１参照）。
【０００３】
【特許文献１】
特開平９−１０８４２１号公報  （第３−４頁、第４図）
【０００４】
【発明が解決しようとする課題】
しかしながら、このような構成を有する従来例の場合には、次のような問題がある。
すなわち、従来のパチンコ機では、例えば上受け皿は、球の貯留部と球を供給する経路などを確保する必要があることや、外観が曲面形状となっていることから、電気部品（例えば照明ランプ）を備えた上述の回路基板を内部に配設するためのスペースが基本的に乏しく、該内部への回路基板の配設が困難であり、仮に設けられたとしても上受け皿の特定箇所しか光らせることができないという問題がある。また、上受け皿などの所定の曲面部内に、上述の回路基板を設ける場合には、回路基板が板状で変形不可（ハード）のものであることから、曲面部の形状に沿わせて回路基板を配設することができず、上受け皿の曲面部と回路基板との間にデッドスペースが存在するという問題がある。また、このデッドスペースを低減するために、回路基板を複数個に分割した分割基板を製作しこれらの分割基板を曲面部の形状に沿わせて取り付けていくことも考えられるが、これらの分割基板を曲面部に個々に取り付けていかなければならず、回路基板の取り付け作業が煩雑になるという別異の問題も生じるし、上受け皿の曲面部と分割基板との間にデッドスペースが完全になくなるわけではない。
【０００５】
本発明は、このような事情に鑑みてなされたものであって、曲面部に電気部品を省スペースで容易に取り付けることができ、電気部品の配置の自由度を向上させた、興趣性に優れた遊技機を提供することを目的とする。
【０００６】
【課題を解決するための手段】
本発明は、このような目的を達成するために、次のような構成を採る。
すなわち、請求項１に記載の発明は、遊技用媒体を用いて遊技を行う遊技機において、電気部品が所定位置に実装された柔軟性基板を、機体の所定の曲面部に沿わせて設けていることを特徴とするものである。
【０００７】
（作用・効果）請求項１に記載の発明によれば、遊技用媒体を用いて遊技を行う遊技機において、電気部品が所定位置に実装された柔軟性基板を、機体の所定の曲面部に沿わせて設けているので、機体の曲面部と柔軟性基板との間や機体の曲面部と電気部品との間に不要なスペースが存在することを防止でき、機体の曲面部にデッドスペースがなく電気部品を効率良く取り付けることができ、省スペース化を図ることができる。また、柔軟性基板の柔軟性により、柔軟性基板を機体の曲面部に沿わせて取り付けていくことができるので、柔軟性基板の曲面部への取り付け作業を容易なものとすることができ、機体の曲面部に沿わせるために分割された複数枚の基板の製作を不要にでき、これらの基板を個々別々にこの曲面部に取り付けていくというような煩雑な作業も解消することができる。また、一般的に取り付けに不向きとされる曲面部に好適に電気部品を設けることができ、当該曲面部の電気部品を動作させることでさらに遊技の興趣を向上させることができる。その結果、あらゆる曲面部に電気部品を省スペースで容易に取り付けることができ、電気部品の配置の自由度を向上させた、興趣性に優れた遊技機を提供することができる。
【０００８】
なお、本明細書は、次のような遊技機に係る発明も開示している。
【０００９】
（１）  請求項１に記載の遊技機において、
前記電気部品は発光部を備えたものであることを特徴とする遊技機。
【００１０】
前記（１）に記載の発明によれば、電気部品は発光部を備えたものとしているので、機体の曲面部と柔軟性基板との間や機体の曲面部と発光部との間に不要なスペースが存在することを防止でき、機体の曲面部にデッドスペースがなく発光部を効率良く取り付けることができ、省スペース化を図ることができる。また、柔軟性基板の柔軟性により、柔軟性基板を機体の曲面部に沿わせて取り付けていくことができるので、柔軟性基板の曲面部への取り付け作業を容易なものとすることができ、機体の曲面部に沿わせるために分割された複数枚の基板の製作を不要にでき、これらの基板を個々別々にこの曲面部に取り付けていくというような煩雑な作業も解消することができる。また、一般的に取り付けに不向きとされる曲面部に好適に発光部を設けることができ、当該曲面部を発光させることでさらに遊技の興趣を向上させることができる。その結果、あらゆる曲面部に発光部を省スペースで容易に取り付けることができ、発光部の配置の自由度を向上させた、興趣性に優れた遊技機を提供することができる。
【００１１】
（２）  前記（１）に記載の遊技機において、
前記発光部は半導体発光素子であることを特徴とする遊技機。
【００１２】
前記（２）に記載の発明によれば、発光部は半導体発光素子であるとしているので、機体の曲面部と柔軟性基板との間や機体の曲面部と半導体発光素子との間に不要なスペースが存在することを防止でき、機体の曲面部にデッドスペースがなく半導体発光素子を効率良く取り付けることができ、省スペース化を図ることができる。また、柔軟性基板の柔軟性により、柔軟性基板を機体の曲面部に沿わせて取り付けていくことができるので、柔軟性基板の曲面部への取り付け作業を容易なものとすることができ、機体の曲面部に沿わせるために分割された複数枚の基板の製作を不要にでき、これらの基板を個々別々にこの曲面部に取り付けていくというような煩雑な作業も解消することができる。また、一般的に取り付けに不向きとされる曲面部に好適に半導体発光素子を設けることができ、当該半導体発光素子を発光させることでさらに遊技の興趣を向上させることができる。その結果、あらゆる曲面部に半導体発光素子を省スペースで容易に取り付けることができ、半導体発光素子の配置の自由度を向上させた、興趣性に優れた遊技機を提供することができる。
【００１３】
（３）  前記（１）または（２）に記載の遊技機において、
前記発光部は、前記柔軟性基板に複数個実装されていることを特徴とする遊技機。
【００１４】
前記（３）に記載の発明によれば、発光部は柔軟性基板に複数個実装されているので、これら複数個の発光部により機体の曲面部を発光させることができる。
【００１５】
（４）  請求項１に記載の遊技機、または、前記（１）から（３）のいずれかに記載の遊技機において、
前記柔軟性基板は、遊技用媒体を貯留する上皿または下皿の少なくとも一方でその所定の曲面部に設けられていることを特徴とする遊技機。
【００１６】
前記（４）に記載の発明によれば、柔軟性基板は、遊技用媒体を貯留する上皿または下皿の少なくとも一方でその所定の曲面部に設けられているので、上皿または下皿の曲面部のような曲がった箇所においても、半導体発光素子をデッドスペースがなく効率良く取り付けることができ、省スペース化を図ることができる。また、柔軟性基板の柔軟性により、柔軟性基板を上皿または下皿の曲面部（例えば球の貯留部の外観曲面形状）に沿わせて取り付けていくことができるので、球の貯留部や球の経路部に影響を与えることなく取り付けることができるし、柔軟性基板の曲面部への取り付け作業を容易なものとすることができ、上皿または下皿の曲面部に沿わせるために分割された複数枚の基板の製作を不要にでき、これらの基板を個々別々にこの曲面部に取り付けていくというような煩雑な作業も解消することができる。また、一般的に取り付けに不向きとされる上皿または下皿の曲面部に好適に発光部を設けることができ、当該発光部を発光させることでさらに遊技の興趣を向上させることができる。その結果、上皿または下皿の曲面部に半導体発光素子を省スペースで容易に取り付けることができ、興趣性に優れた遊技機を提供することができる。
【００１７】
（５）  前記（４）に記載の遊技機において、
前記柔軟性基板は、前記上皿または下皿の前記曲面部でその外側面あるいは内側面に設けられていることを特徴とする遊技機。
【００１８】
前記（５）に記載の発明によれば、柔軟性基板は、上皿または下皿の曲面部でその外側面あるいは内側面に設けられているので、上皿または下皿の曲面部でその外側面あるいは内側面のような曲がった箇所においても、半導体発光素子をデッドスペースがなく効率良く取り付けることができ、省スペース化を図ることができる。また、柔軟性基板の柔軟性により、柔軟性基板を上皿または下皿の曲面でその外側面あるいは内側面に沿わせて取り付けていくことができるので、柔軟性基板の曲面部への取り付け作業を容易なものとすることができ、上皿または下皿の曲面部に沿わせるために分割された複数枚の基板（柔軟性のないハード基板）の製作を不要にでき、これらの基板を個々別々にこの曲面部に取り付けていくというような煩雑な作業も解消することができる。また、一般的に取り付けに不向きとされる上皿または下皿の曲面部でその外側面あるいは内側面に好適に発光部を設けることができ、当該発光部を発光させることでさらに遊技の興趣を向上させることができる。その結果、上皿または下皿の曲面部でその外側面あるいは内側面に半導体発光素子を省スペースで容易に取り付けることができ、興趣性に優れた遊技機を提供することができる。
【００１９】
（６）  請求項１に記載の遊技機、または、前記（１）から（５）のいずれかに記載の遊技機において、
前記柔軟性基板は、その片面側である実装面に、自己の回路パターンの所定箇所間をブリッジ接続して導通させるための導通部が実装されていることを特徴とする遊技機。
【００２０】
前記（６）に記載の発明によれば、柔軟性基板は、その片面側である実装面に、自己の回路パターンの所定箇所間をブリッジ接続して導通させるための導通部が実装されているので、片面実装とする単層基板を実現することができ、多層基板に比べてコストを低減することができる。
【００２１】
（７）  前記（６）に記載の遊技機において、
前記導通部は、抵抗値が０Ωまたは略０Ωであるチップ部品であることを特徴とする遊技機。
【００２２】
前記（７）に記載の発明によれば、導通部は、抵抗値が０Ωまたは略０Ωであるチップ部品であるとしているので、柔軟性基板の実装面において、この柔軟性基板の回路パターンの所定箇所間をブリッジ接続して導通させることができ、片面実装とする単層基板を実現することができ、多層基板に比べてコストを低減することができる。
【００２３】
（８）  前記（７）に記載の遊技機において、
前記チップ部品は、その両端側にそれぞれ電極部を有し、前記柔軟性基板を前記曲面部に取り付けた状態における前記柔軟性基板の曲げ方向の接線に対して前記柔軟性基板面内で直交あるいは略直交する方向に前記電極部の配置方向を向けるように前記柔軟性基板に実装されていることを特徴とする遊技機。
【００２４】
前記（８）に記載の発明によれば、チップ部品は、その両端側にそれぞれ電極部を有し、柔軟性基板を曲面部に取り付けた状態における柔軟性基板の曲げ方向の接線に対して柔軟性基板面内で直交あるいは略直交する方向に電極部の配置方向を向けるように柔軟性基板に実装されているので、柔軟性基板の曲げに起因するチップ部品の電極部の接合割れを防止できる。すなわち、柔軟性基板の曲げ方向の接線の方向にチップ部品の電極部の配置方向を向けてこのチップ部品が実装されていると、柔軟性基板の曲げの力がチップ部品の電極部に作用し、チップ部品の電極部の接合割れ、つまり、チップ部品の電極部が柔軟性基板から剥がれて断線することが生じ易くなる。これに対して、柔軟性基板の曲げ方向の接線に対して直交あるいは略直交する方向にチップ部品の電極部の配置方向を向けているので、柔軟性基板の曲げの力がチップ部品の電極部に作用し難くでき、チップ部品の電極部の接合割れ、つまり、チップ部品の電極部が柔軟性基板から剥がれて断線することを防止できる。
【００２５】
（９）  前記（１）から（８）のいずれかに記載の遊技機において、
前記柔軟性基板の前記発光部用の抵抗は、前記柔軟性基板とは別体の外部基板に実装されていることを特徴とする遊技機。
【００２６】
前記（９）に記載の発明によれば、柔軟性基板の発光部用の抵抗は、柔軟性基板とは別体の外部基板に実装されているので、発光部用の抵抗の発熱が柔軟性基板に熱伝達されて作用することを防止でき、発光部用の抵抗の発熱に起因する柔軟性基板の不具合を防止できる。
【００２７】
（１０）  前記（９）に記載の遊技機において、
前記外部基板は、遊技機のランプを点灯制御するためのランプ表示制御基板または遊技機全体を制御する主制御基板であることを特徴とする遊技機。
【００２８】
前記（１０）に記載の発明によれば、外部基板は、遊技機のランプを点灯制御するためのランプ表示制御基板または遊技機全体を制御する主制御基板であるとしている、つまり、柔軟性基板とは別体のランプ表示制御基板または主制御基板に柔軟性基板の発光部用の抵抗が実装されているので、発光部用の抵抗の発熱が柔軟性基板に熱伝達されて作用することを防止でき、発光部用の抵抗の発熱に起因する柔軟性基板の不具合を防止できる。
【００２９】
（１１）  前記（１）から（１０）のいずれかに記載の遊技機において、
前記柔軟性基板の前記発光部を遊技演出に応じて点灯させる点灯制御手段を備えていることを特徴とする遊技機。
【００３０】
前記（１１）に記載の発明によれば、点灯制御手段は、柔軟性基板の発光部を遊技演出に応じて点灯させるので、遊技者はこの発光部の点灯演出によってさらに面白味を感じることができ、期待感などがさらに高められる。したがって、興趣性を向上させた遊技機を提供できる。
【００３１】
（１２）請求項１に記載の遊技機、または、前記（１）から（１１）のいずれかに記載の遊技機において、
前記遊技機はパチンコ機であることを特徴とする遊技機。
【００３２】
前記（１２）に記載の遊技機によれば、機体のあらゆる曲面部に発光部を省スペースで容易に取り付けることができ、発光部の配置の自由度を向上させた、興趣性に優れたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３３】
（１３）請求項１に記載の遊技機、または、前記（１）から（１１）のいずれかに記載の遊技機において、
前記遊技機はスロットマシンであることを特徴とする遊技機。
【００３４】
前記（１３）に記載の遊技機によれば、機体のあらゆる曲面部に発光部を省スペースで容易に取り付けることができ、発光部の配置の自由度を向上させた、興趣性に優れたスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３５】
（１４）請求項１に記載の遊技機、または、前記（１）から（１１）のいずれかに記載の遊技機において、
前記遊技機はパチンコ機とスロットマシンとを融合させたものであることを特徴とする遊技機。
【００３６】
前記（１４）に記載の遊技機によれば、機体のあらゆる曲面部に発光部を省スペースで容易に取り付けることができ、発光部の配置の自由度を向上させた、興趣性に優れた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３７】
【発明の実施の形態】
以下、図面を参照して本発明の実施例を説明する。
本実施例では、遊技機の一例として弾球遊技機の一種であるパチンコ機、特に、第１種パチンコ遊技機を用いて説明する。なお、本発明を第３種パチンコ遊技機（権利物とも呼ばれる）や、コイン遊技機、スロットマシン等の遊技機に用いることは、当然に可能である。
【００３８】
図１は、実施例のパチンコ機の概略正面図であり、図２はパチンコ機の遊技盤の概略正面図である。本実施例のパチンコ機Ｐは、図１に示すように、遊技盤１と、球を貯留する上受け皿２および下受け皿３と、球を遊技盤１へ発射するための発射ハンドル４とを備えている。遊技盤１は、前面枠１ａに嵌め込まれた例えばガラス製の透明板１ｂに覆われている。
【００３９】
図２に示すように、パチンコ機Ｐの遊技盤１には、作動口５及び大入賞口６が設けられており、遊技盤１は遊技領域を構成している。作動口５は、遊技球Ｂの通路を備えており、その通路入口には羽根７が開閉可能に支持されている。
【００４０】
また、大入賞口６の前には、シャッタ８が設けられている。このシャッタ８は、大入賞口６の側部に設けられた図示しない大入賞口用ソレノイドにより作動させられ、大入賞口６を開閉する。詳しくは、当該ソレノイドが励磁状態となることにより、シャッタ８が略水平に傾き、これにより大入賞口６が開かれる。また、ソレノイドが非励磁状態となることにより、シャッタ８が略垂直状態となり、これにより大入賞口６は閉鎖される。
【００４１】
遊技盤１の中央部分（大入賞口６の上方）には、可変表示装置としての特別図柄表示装置（以下、単に「表示装置」という）９が組込まれている。表示装置９は、液晶ディスプレイ（ＬＣＤ）よりなる表示部９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００４２】
表示装置９の表示部９ａでは、各図柄列の図柄変動（回転変動）が、遊技球Ｂの作動口５への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００４３】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（大入賞口６が開かれ）、遊技者にとって有利な大当たり状態の到来、すなわち、より多くの賞球を獲得することが可能となる。
【００４４】
表示装置９において、表示部９ａの上方には、発光ダイオード（ＬＥＤ）からなる保留ランプ１０ａ，１０ｂ，１０ｃ，１０ｄが組み込まれている。保留ランプ１０ａ〜１０ｄは、基本的には作動口５への入賞に基づく変動表示の保留毎に点灯させられ、その保留に対応した変動表示の実行に伴い消灯させられる。さらに、パチンコ機Ｐには、遊技の進行に応じて効果音を発生する図示しないスピーカが設けられている。
【００４５】
このほかにも、パチンコ機Ｐの複数箇所には、遊技効果を高めるための各種ランプが取り付けられている。これらのランプは、例えばランプ風車１１、上部ランプ飾り１２（図１参照）、下部ランプ飾り１３等からなり、遊技の進行に応じて点灯状態（消灯、点灯、点滅等）が適宜変えられるようになっている。なお、上部ランプ飾り１２には、遊技者に球切れ状態や入賞状態を報知すべく、球切れランプ及び入賞ランプなどが内蔵されている。
【００４６】
本実施例のパチンコ機Ｐでは、遊技者の操作に応じて変化するパチンコ機Ｐの遊技状態を検出するべく、遊技盤１には、種々の検出スイッチが取り付けられている。これら検出スイッチにより、遊技球Ｂの作動口５への入賞や、大入賞口６への入賞が検出されるようになっている。また、本実施の形態では、各検出スイッチの検出結果に基づきソレノイドや、表示装置９、各保留ランプ１０ａ〜１０ｄ、各種ランプ１１〜１３、スピーカ等をそれぞれ駆動制御するために制御装置が設けられている。制御装置は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。
【００４７】
ここで、本発明の特徴部分の１つである構成について、図３を用いて以下に説明する。図３は、実施例のパチンコ機の前面枠の概略斜視図である。
【００４８】
図３に示すように、前面枠１ａは、縦長の額縁形に形成され、その下部に上受け皿２が設けられている。前面枠１ａは、その前面側に曲面状に突出する上部ランプ飾り１２からもわかるように、各所定箇所を曲面形状としたデザインのものとなっている。また、前面枠１ａの下部に設けられた上受け皿２は、上部ランプ飾り１２よりもさらに前面枠１ａの前面側に突出しており、その外形の各所定箇所は曲面形状となっている。
【００４９】
次に、上受け皿２について、図４〜図６を用いて説明する。図４は、実施例の上受け皿の分解斜視図である。図５は、実施例の上受け皿の外観正面図である。図６は、フレキシブル基板上のチップ部品の実装状態を説明するための説明図である。図４に示すように、上受け皿２は、大別すると、皿枠２０とフレキシブル基板３０とカバー枠４０とからなる。
【００５０】
皿枠２０は、賞球を受ける皿部２１の両端に取付板部２２を有し、この取付板部２２を前面枠１ａの下部の前面側の所定箇所に合せてネジ止めすることによって結合できるようになっている。
【００５１】
フレキシブル基板３０は、所定の回路パターンが形成された柔軟性のある基板としての、カバー枠４０の左側部から正面にかけて配設される第１フレキシブル基板３１およびカバー枠４０の右側部に配設される第２フレキシブル基板３２を備えている。また、これらの第１フレキシブル基板３１と２フレキシブル基板３２とは、接続ケーブル３３によって電気的に接続されている。なお、第１フレキシブル基板３１の右端および第２フレキシブル基板３２の左端の所定箇所にはコネクタ受け部３４がそれぞれに形成されており、これらのコネクタ受け部３４に上述した接続ケーブル３３の両端の対応するコネクタがそれぞれ嵌合されて接続されるようになっている。
【００５２】
第１フレキシブル基板３１は、その左端側に複数個（この実施例では例えば３個）の半導体発光素子としての発光ダイオード３５が横方向に並べて実装されており、この３個の発光ダイオード３５のさらに左側に抵抗値が０オーム（Ω）または略０オーム（Ω）であるチップ部品３６（いわゆるブリッジ用チップ部品、ジャンパー用チップ部品）が横方向に複数個（この実施例では例えば３個）並べて実装されている。このチップ部品３６は、第１フレキシブル基板３１の回路パターンの所定箇所間を導通（ブリッジ）させるためのものであり、その両端にそれぞれ電極部３６ａ（図６参照）が形成されたものである。
【００５３】
具体的には、チップ部品３６の一方の電極部３６ａが第１フレキシブル基板３１の一方の回路パターンの所定箇所に導通接続（半田接続）され、チップ部品３６の他方の電極部３６ａが第１フレキシブル基板３１の他方の回路パターンの所定箇所に導通接続（半田接続）されるとともに、チップ部品３６の底部の絶縁部分が他の回路パターン上に当接し当該他の回路パターン上を跨ぐようにしてチップ部品３６が実装されている。こうすることで、第１フレキシブル基板３１の回路パターンの所定箇所間のみを導通させることができ、チップ部品３６の底部下でその両電極部３６ａ間に位置する上述の他の回路パターンに対しては非導通（絶縁）とすることができる。上述のチップ部品３６を設けることで、第１フレキシブル基板３１を片面実装とする単層基板を実現することができる。
【００５４】
また、第２フレキシブル基板３２は、その右端側に横方向に３個並べて半導体発光素子としての発光ダイオード３５が実装されている。この発光ダイオード３５としては種々のタイプのものを採用することが可能であるが、ここでは発光ダイオード３５は、例えば単色光を放つタイプのものとする。
【００５５】
また、第１フレキシブル基板３１の左端側には、上述の制御装置（例えば、遊技機全体を制御する主制御基板）からの接続ケーブルが接続されるコネクタ受け部３７（図５参照）が設けられており、第１フレキシブル基板３１および第２フレキシブル基板３２の発光ダイオード３５が主制御基板により発光制御されるようになっている。また、第１フレキシブル基板３１および第２フレキシブル基板３２の発光ダイオード３５用として用いられる抵抗部品（例えば、抵抗器やチップ抵抗など）は、上述の主制御基板に設けられており、第１フレキシブル基板３１および第２フレキシブル基板３２には設けられていない。つまり、第１フレキシブル基板３１および第２フレキシブル基板３２には、所定の回路パターン（例えば銅箔ライン）が形成された柔軟性プリント配線基板と、発光ダイオード３５と、ブリッジ用のチップ部品３６とが主たる構成部品となっており、発熱が予想されるような抵抗部品は一切備えられていない。
【００５６】
第１フレキシブル基板３１の両端それぞれには、上下方向に並んで２個の取付孔３８（貫通孔）が形成されている。これと同様に、第２フレキシブル基板３２の両端それぞれにも、上下方向に並んで２個の取付孔３８（貫通孔）が形成されている。
【００５７】
なおここでは、フレキシブル基板３０は、第１，第２フレキシブル基板３１，３２、つまり２枚のフレキシブル基板からなっているが、１枚のフレキシブル基板あるいは３枚以上のフレキシブル基板からなるようにしてもよい。
【００５８】
カバー枠４０は、皿枠２０を被い包むものであり、皿枠２０の皿部２１の前縁部２１ａから下面の全体を包み込むように本体部分４１を凹曲面形に形成し、その左右両端に皿枠２０の取付板部２２の全面を被うカバー部４２が延設されている。上述した本体部分４１の前縁部４１ａは、皿部２１の前縁部２１ａを縁取りし飾るものであり、例えば着色半透明部材を採用している。この本体部分４１の前縁部４１ａの裏面側に沿うようにしてフレキシブル基板３０（第１、第２フレキシブル基板３１，３２）が取り付けられるようになっている。また、本体部分４１の前縁部４１ａは、図４に示すように、曲面形状となった曲面部４１ｂを備えている。
【００５９】
具体的には、本体部分４１の前縁部４１ａの裏面側の各所定箇所には、フレキシブル基板３０の取付孔３８に挿入するための突出した挿入ピン４３が上下方向に並んで２個形成されており、各挿入ピン４３がフレキシブル基板３０の対応する取付孔３８にそれぞれ挿入された状態となるようにしてこのフレキシブル基板３０を仮止めする。そして、フレキシブル基板３０の取付孔３８に挿入ピン４３が挿入された状態のままでこれらの挿入ピン４３に嵌合キャップ（図示省略）を取り付ける、つまり嵌合キャップの嵌合穴に挿入ピン４３を挿入して嵌合させることで、フレキシブル基板３０を本体部分４１の前縁部４１ａの裏面側に挟持させることができる。このとき、フレキシブル基板３０の発光ダイオード３５は、図５に示すように、本体部分４１の曲面部４１ｂの裏面側に位置している。例えば、この嵌合キャップとしては、本体部分４１の前縁部４１ａの裏面側の挿入ピン４３に嵌合可能な嵌合穴が上記同様に上下方向に２個並んで形成されたものが挙げられる。なお、嵌合キャップとしては、挿入ピン４３に嵌合可能な嵌合穴を有し、フレキシブル基板３０を本体部分４１の前縁部４１ａの裏面側に保持させた状態にできるものであればどのような構造のものであってもよい。
【００６０】
上述したように、カバー枠４０の前縁部４１ａは着色半透明部材としており、図５に示すように、第１フレキシブル基板３１の発光ダイオード３５が上述の主制御基板（図示省略）に点灯制御されて発光すると、カバー枠４０の前縁部４１ａ、つまり上受け皿２の外周部分が発光していることを遊技者などから視認できるようになっている。例えば、カバー枠４０の前縁部４１ａが赤色に着色された半透明部材であった場合に、赤色に点灯表示されることになる。発光ダイオード３５が位置する上受け皿２の該当部分では、発光強度は強く、その部分から離れると発光強度がやや弱くなるような点灯が行われることになる。なお、上受け皿２のカバー枠４０の前縁部４１ａの部材を改良したり、あるいは発光ダイオード３５を分散させて配置したりなどすることで、上受け皿２全体がほぼ同じ発光強度で点灯させることもできる。
【００６１】
また、主制御基板は、フレキシブル基板３０の発光ダイオード３６を遊技演出に応じて点灯させる点灯制御手段としての機能を備えている。つまり、主制御基板はパチンコ機Ｐの遊技全体を制御するように構成されていることから、主制御基板はパチンコ機Ｐの遊技演出の状態（図柄変動状態、リーチ演出状態、大当り演出状態、大当り状態など）を逐次に検知しており、それらの状態に応じて点灯制御を行うようにしている。
【００６２】
図６に示すように、チップ部品３６は、その両端側にそれぞれ電極部３６ａを有し、第１フレキシブル基板３１を上受け皿２の曲面部４１ｂに取り付けた状態における第１フレキシブル基板３１の曲げ方向Ｍの接線Ｓに対して、第１フレキシブル基板３１面内で直交あるいは略直交する方向に電極部３６ａの配置方向Ｈを向けるように第１フレキシブル基板３１に例えば半田付けされて実装されている。したがって、第１フレキシブル基板３１の曲げに起因するチップ部品３６の電極部３６ａの接合割れを防止できる。すなわち、第１フレキシブル基板３１の曲げ方向Ｍの接線Ｓの方向にチップ部品３６の電極部３６ａの配置方向Ｈを向けてこのチップ部品３６が実装されていると、第１フレキシブル基板３１の曲げの力がチップ部品３６の電極部３６ａに作用し、チップ部品３６の電極部３６ａの接合割れ、つまり、チップ部品３６の電極部３６ａが第１フレキシブル基板３１から剥がれて断線することが生じ易くなる。これに対して、第１フレキシブル基板３１の曲げ方向Ｍの接線Ｓに対して直交あるいは略直交する方向にチップ部品３６の電極部３６ａの配置方向Ｈを向けているので、第１フレキシブル基板３１の曲げの力がチップ部品３６の電極部３６ａに作用し難くでき、チップ部品３６の電極部３６ａの接合割れ、つまり、チップ部品３６の電極部３６ａが第１フレキシブル基板３１から剥がれて断線することを防止できる。
【００６３】
なお、上述した発光ダイオード３５が本発明における発光部に相当し、上述したフレキシブル基板３０が本発明における柔軟性基板に相当し、上述した上受け皿２が本発明における機体および上皿に相当し、上述したチップ部品３６が本発明における導通部に相当し、上述した主制御基板が本発明における外部基板に相当する。
【００６４】
上述したように本実施例のパチンコ機Ｐによれば、発光ダイオード３５が所定位置に実装されたフレキシブル基板３０を、上受け皿２の所定の曲面部４１ｂに沿わせて設けているので、上受け皿２の曲面部４１ｂとフレキシブル基板３０との間や上受け皿２の曲面部４１ｂと発光ダイオード３５との間に不要なスペースが存在することを防止でき、上受け皿２の曲面部４１ｂにデッドスペースがなく発光ダイオード３５を効率良く取り付けることができ、省スペース化を図ることができる。また、フレキシブル基板３０の柔軟性により、フレキシブル基板３０を上受け皿２の曲面部４１ｂに沿わせて取り付けていくことができるので、フレキシブル基板３０の曲面部４１ｂへの取り付け作業を容易なものとすることができ、上受け皿２の曲面部４１ｂに沿わせるために分割された複数枚の基板（柔軟性のないハード基板）の製作を不要にでき、これらの基板を個々別々にこの曲面部に取り付けていくというような煩雑な作業も解消することができる。また、一般的に取り付けに不向きとされる曲面部４１ｂに好適に発光ダイオード３５を設けることができ、発光ダイオード３５を発光させることでさらに遊技の興趣を向上させることができる。その結果、あらゆる曲面部分（例えば曲面部４１ｂ）に発光ダイオード３５を省スペースで容易に取り付けることができ、発光ダイオード３５の配置の自由度を向上させた、興趣性に優れた遊技機を提供することができる。
【００６５】
また、発光ダイオード３５はフレキシブル基板３０に複数個（例えば３個）実装されているので、これら複数個（例えば３個）の発光ダイオード３５により上受け皿２の曲面部４１ｂを発光させることができる。
【００６６】
また、フレキシブル基板３０は、上受け皿２の曲面部４１ｂでその内側面に設けられているので、上受け皿２の曲面部４１ｂでその内側面のような曲がった箇所においても、半導体発光素子をデッドスペースがなく効率良く取り付けることができ、省スペース化を図ることができる。また、フレキシブル基板３０の柔軟性により、フレキシブル基板３０を上受け皿２の曲面部４１ｂでその内側面に沿わせて取り付けていくことができるので、柔軟性基板の曲面部への取り付け作業を容易なものとすることができ、上受け皿２の曲面部４１ｂに沿わせるために分割された複数枚の基板（柔軟性のないハード基板）の製作を不要にでき、これらの基板を個々別々にこの曲面部４１ｂに取り付けていくというような煩雑な作業も解消することができる。また、一般的に取り付けに不向きとされる上受け皿２の曲面部４１ｂでその内側面に好適に発光ダイオード３５を設けることができ、発光ダイオード３５を発光させることでさらに遊技の興趣を向上させることができる。その結果、上受け皿２の曲面部４１ｂでその内側面に発光ダイオード３５を省スペースで容易に取り付けることができ、興趣性に優れた遊技機を提供することができる。
【００６７】
また、フレキシブル基板３０は、その片面側である実装面に、自己の回路パターンの所定箇所間をブリッジ接続して導通させるためのチップ部品３６が実装されているので、片面実装とする単層基板を実現することができ、多層基板に比べてコストを低減することができる。チップ部品３６は、抵抗値が０Ωであるブリッジ用のチップ部品としているので、フレキシブル基板３０の実装面において、このフレキシブル基板３０の回路パターンの所定箇所間をブリッジ接続して導通させることができ、片面実装とする単層基板を実現することができ、多層基板に比べてコストを低減することができる。
【００６８】
また、フレキシブル基板３０の発光ダイオード３５用の抵抗は、フレキシブル基板３０とは別体の外部基板（例えば、前述した主制御基板）に実装されているので、発光ダイオード３５用の抵抗の発熱がフレキシブル基板３０に熱伝達されて作用することを防止でき、発光ダイオード３５用の抵抗の発熱に起因するフレキシブル基板３０の不具合を防止できる。
【００６９】
また、主制御基板は、フレキシブル基板３０の発光ダイオード３５を遊技演出に応じて点灯させるので、遊技者はこの発光ダイオード３５の点灯演出によってさらに面白味を感じることができ、期待感などがさらに高められる。したがって、興趣性を向上させた遊技機を提供できる。
【００７０】
本発明は、上記実施形態に限られることはなく、下記のように変形実施することができる。
【００７１】
（１）上述の実施例では、機体の一例として上受け皿２を採用し、フレキシブル基板３０を上受け皿２の曲面部４１ｂ（例えば外側面）に沿わせた例を挙げて説明しているが、曲面部４１ｂ（例えば内側面）に沿わせもよい。また、下受け皿３や前面枠１ａなどの曲面部にフレキシブル基板３０を設けるようにしてもよい。また、
【００７２】
（２）上述の実施例では、電気部品の一例として発光部を備えたもの、つまり、発光部の一例として半導体発光素子（例えば発光ダイオード３５）を採用しているが、照明用ランプなど各種の発光手段を採用するようにしてもよいし、電気部品としてスピーカなどをフレキシブル基板３０に設けるようにしてもよい。
【００７３】
（３）上述の実施例では、上受け皿２の曲面部４１ｂでその内側面にフレキシブル基板３０を沿わせるようにして取り付けているが、上受け皿２の曲面部４１ｂでその外側面にフレキシブル基板３０を沿わせるようにして取り付けてもよい。
【００７４】
（４）上述の実施例では、フレキシブル基板３０の発光ダイオード３６用の抵抗を備える外部基板として主制御基板を採用しているが、パチンコ機Ｐのランプなどを点灯制御するためのランプ表示制御基板を採用してもよい。
【００７５】
（５）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、スロットマシン、アレンジボール型パチンコ、雀球、いわゆるパチンコ機とスロットマシンとが融合した遊技機等の各種遊技機として実施するようにしてもよい。
【００７６】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００７７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【００７８】
【発明の効果】
以上の説明から明らかなように、本発明によれば、電気部品が所定位置に実装された柔軟性基板を、機体の所定の曲面部に沿わせて設けているので、機体の曲面部と柔軟性基板との間や機体の曲面部と電気部品との間に不要なスペースが存在することを防止でき、機体の曲面部にデッドスペースがなく電気部品を効率良く取り付けることができ、省スペース化を図ることができる。また、柔軟性基板の柔軟性により、柔軟性基板を機体の曲面部に沿わせて取り付けていくことができるので、柔軟性基板の曲面部への取り付け作業を容易なものとすることができ、機体の曲面部に沿わせるために分割された複数枚の基板の製作を不要にでき、これらの基板を個々別々にこの曲面部に取り付けていくというような煩雑な作業も解消することができる。また、一般的に取り付けに不向きとされる曲面部に好適に電気部品を設けることができ、当該電気部品を動作させることでさらに遊技の興趣を向上させることができる。その結果、あらゆる曲面部に電気部品を省スペースで容易に取り付けることができ、電気部品の配置の自由度を向上させた、興趣性に優れた遊技機を提供できる。
【図面の簡単な説明】
【図１】本発明の実施例のパチンコ機の概略正面図である。
【図２】パチンコ機の遊技盤の概略正面図である。
【図３】実施例のパチンコ機の前面枠の概略斜視図である。
【図４】実施例の上受け皿の分解斜視図である。
【図５】実施例の上受け皿の外観正面図である。
【図６】フレキシブル基板上のチップ部品の実装状態を説明するための説明図である。
【符号の説明】
２  …  上受け皿（機体、上皿）
３０  …  フレキシブル基板（柔軟性基板）
３５  …  発光ダイオード（発光部）
３６  …  チップ部品（導通部）
３６ａ…  電極部
４１ｂ…  曲面部
【図１】
2004167140.tif 000003
【図２】
2004167140.tif 000004
【図３】
2004167140.tif 000005
【図４】
2004167140.tif 000006
【図５】
2004167140.tif 000007
【図６】
2004167140.tif 000008
【手続補正書】
【提出日】平成15年1月24日(2003.1.24)
【手続補正１】
【補正対象書類名】明細書
【補正対象項目名】特許請求の範囲
【補正方法】変更
【補正の内容】
【特許請求の範囲】
【請求項１】
遊技用媒体を用いて遊技を行う遊技機において、
電気部品が所定位置に実装された柔軟性基板を、機体の所定の曲面部に沿わせて設けており、
前記電気部品は発光部を備えたものであり、
前記柔軟性基板の前記発光部を遊技演出に応じて点灯させる点灯制御手段を備えていることを特徴とする遊技機。